(57)【要約】【課題】横柵の係止を解除して開閉させる際に、世話人が立った姿勢からでもまた力の弱い者であっても、力の加えやすい容易な操作で確実に解除して無理なく開閉させる。【解決手段】開閉可能な横柵の上柵２０を端壁に係止解除可能に係止させるための係止機構２５は、端壁の係止孔１６と、上部バー２２に対し繰出方向及び退入方向に変位可能に設けられた一対の係止ロッド３５と、係止ロッド３５を常には繰出方向に付勢して先端部３５ａを係止孔１６に係入させるコイルバネ３６と、上部バー２２の途中にその下面から突出するとともに上下動可能に設けられた握りボタン４０と、握りボタン４０を握って上動させたときにその上動を方向変換して係止ロッド３５を退入方向に変位させ先端部３５ａを係止孔１６から離脱させる変換機構５０とから構成した。【選択図】      図４
2004313629.tif 000002
【特許請求の範囲】
【請求項１】
開閉可能な横柵を頭側端壁及び足側端壁に係止解除可能に係止させるための係止機構を備えたベビーベッドにおいて、前記係止機構は、前記頭側端壁及び足側端壁にそれぞれ設けられた係止孔と、前記横柵の上部バーの中央部から各端面へ延びて各端面から先端部が繰出すように配され且つ前記上部バーに対し前記繰出方向及び退入方向に変位可能に設けられた一対の係止ロッドと、前記一対の係止ロッドを常には前記繰出方向に付勢して前記各先端部を前記係止孔に係入させるロッド付勢部材と、前記上部バーの途中にその下面から突出するとともに上下動可能に設けられた握りボタンと、前記握りボタンを握って上動させたときにその上動を方向変換して前記一対の係止ロッドを前記退入方向に変位させ前記各先端部を前記係止孔から離脱させる変換機構とから構成されたことを特徴とするベビーベッド。
【請求項２】
前記変換機構は、前記上部バーの各端面に対し下側ほど遠ざかるように傾斜しており前記握りボタンとともに上下動する一対の斜状部と、前記一対の係止ロッドの各基端部を前記一対の斜状部に案内されて相対動しうるように係合させる係合部とで構成され、前記一対の斜状部が前記握りボタンとともに上動するときに前記係合部を介し前記係止ロッドの各基端部が退入方向に引かれることで前記方向変換を行う請求項１記載のベビーベッド。
【請求項３】
前記係止機構は、前記横柵の係止時に、前記握りボタンが上動できないようにロックするロック状態と、前記握りボタンが上動できるようにするロック解除状態とを切り替えるロック機構を備えた請求項１又は２記載のベビーベッド。
【請求項４】
前記ロック機構は、前記握りボタンの下部に前記上部バーに沿って変位可能に設けられたロック部材であり、前記ロック部材が前記握りボタンよりはみ出して前記上部バーの下面に下から近接するロック位置に変位されたときに前記ロック状態となり、前記ロック部材が前記握りボタンよりはみ出さないロック解除位置に変位されたときに前記ロック解除状態となる請求項３記載のベビーベッド。
【請求項５】
前記ロック部材を常には前記ロック位置に向けて付勢するロック付勢部材を設けた請求項４記載のベビーベッド。
【請求項６】
前記ロック部材に指の側部が引掛かる引掛かり部を設けた設けた請求項５記載のベビーベッド。
【発明の詳細な説明】
【０００１】
【発明の属する技術分野】
本発明は、ベビーベッドに関し、特に開閉可能な横柵の係止機構に係るものである。
【０００２】
【従来の技術】
ベビーベッドにおいては、世話人が乳児の世話をしやすいように、一方の横柵を床板の高さ位置を境に上柵と下柵とに分け、上柵を上下動可能に設けたり手前側に回動可能に設けたりして開閉可能にしている。この上柵を閉じるときに頭側端壁及び足側端壁に係止解除可能に係止させるための係止機構としては、係止孔と係止ロッドとを用いたものが一般的である。例えば、図７に示す従来例の係止機構は、頭側端壁６１及び足側端壁に設けられた係止孔６２と、上柵６０の上部バー６３の中央部から各端面６３ａへ延びて各端面６３ａから先端部６４ａが繰出すように配され且つ上部バー６３に対し繰出方向及び退入方向に変位可能に設けられた一対の係止ロッド６４と、一対の係止ロッド６４を常には繰出方向に付勢して各先端部６４ａを係止孔６２に係入させるロッド付勢部材としてのコイルバネ６６と、一対の係止ロッド６４の各基端部６４ｂに取付けられて上部バー６３より下方まで延びる一対のレバー６７とから構成されている（例えば、特許文献１参照。）。
【０００３】
上柵６０を閉じて頭側端壁６１及び足側端壁に係止させるには、コイルバネ６６により繰出方向に付勢されて各端面６３ａからの繰出量が大きくなった先端部６４ａを係止孔６２に係入させる。この係止を解除するには、図７（ａ）から（ｂ）の変化で示すように、世話人が片手で両レバー６７を掴んでコイルバネ６６の付勢力に抗して互いに接近させ、一対の係止ロッド６４を退入方向に変位させる。すると、各端面６３ａからの繰出量が小さくなった先端部６４ａが係止孔６２から離脱するので、上柵６０を開くことができる。図７の例は、頭側端壁６１及び足側端壁に係止孔６２より浅い案内溝６５が設けられ、この案内溝６５を前記繰出量が小さくなった先端部６４ａが上下方向に摺動することにより、上柵６０が上下動可能になっているため、上柵６０を下動させて開くことになる。
【０００４】
【特許文献１】
実開平３−７２７６４号公報
【０００５】
【発明が解決しようとする課題】
上記の係止機構では、両係止ロッド６４が独立して変位するため、両レバー６７を掴んで接近させるときに均等に力をかけないと、一方の係止ロッド６４だけが係止孔６２から離脱し、他方の係止ロッド６４がまだ少し係止孔６２に係入しているいわば半解除状態で、上柵６０を無理に下動させるといったことが起こりうる。また、両レバー６７を掴んで接近させる操作は親指と人差し指で行うため、そもそも大きな力をかけにくい。このため、係止ロッド６４が上部バー６３内でこじれると、力の弱い世話人では操作できないおそれがある。また、この両レバー６７の操作は世話人がベビーベッドの上柵６０の前に立って行うことが多いが、そのときの見下げる視線では両レバー６７が上部バー６３の下に隠れてよく見えないため、手探りで両レバー６７を掴む必要があり、うまく掴めなかったり操作できなかったりすることもある。その場合、世話人は屈んで両レバー６７を操作することになり不便である。また、世話人が前記係止を解除するつもりではなく上部バー６３に手を掛けたとき等に不意に両レバー６７に触れることがありうるが、そのときにも両レバー６７は変位してしまうので、場合によっては不意に前記係止が解除されて上柵６０が動いてしまうおそれがある。
【０００６】
本発明の目的は、上記課題を解決し、横柵を頭側端壁及び足側端壁に係止させた状態からその係止を解除して開閉させる際に、世話人が立った姿勢からでもまた力の弱い者であっても、力の加えやすい容易な操作で確実に解除して無理なく開閉させることができるベビーベッド提供することにある。さらには、その操作を不要時にはロックできるようにして、不意に前記係止が解除されて横柵が動いてしまうおそれをなくすことにある。
【０００７】
【課題を解決するための手段】
上記目的を達成するために、本発明のベビーベッドは、開閉可能な横柵を頭側端壁及び足側端壁に係止解除可能に係止させるための係止機構を備えたベビーベッドにおいて、係止機構は、頭側端壁及び足側端壁にそれぞれ設けられた係止孔と、横柵の上部バーの中央部から各端面へ延びて各端面から先端部が繰出すように配され且つ上部バーに対し繰出方向及び退入方向に変位可能に設けられた一対の係止ロッドと、一対の係止ロッドを常には繰出方向に付勢して各先端部を係止孔に係入させるロッド付勢部材と、上部バーの途中にその下面から突出するとともに上下動可能に設けられた握りボタンと、握りボタンを握って上動させたときにその上動を方向変換して一対の係止ロッドを退入方向に変位させ各先端部を係止孔から離脱させる変換機構とから構成されたことを特徴とする。
【０００８】
ここで、「開閉可能な横柵」は、ベビーベッドに一対ある横柵のいずれか一方でもよいし両方でもよい。また、一つの横柵の全体を開閉可能にしてもよいし、一つの横柵を例えば床板の高さ位置を境に上柵と下柵とに分け、上柵のみを開閉可能にしてもよい。横柵の開閉の方向は、特に限定されず、例えば横柵が垂直な姿勢のまま上下動することで開閉する態様や、横柵がその下端を中心にして手前側に回動することで開閉する態様を例示できる。
【０００９】
横柵を頭側端壁及び足側端壁に係止させるのは主として横柵を閉じたときのためであるから、係止孔は頭側端壁及び足側端壁のうち横柵を閉じたときの上部バーと同じ高さに設けられる。但し、横柵が上下動することで開閉する態様においては、横柵を下動させて開いたときやその下動の途中においても頭側端壁及び足側端壁に係止させるようにすることができ、その場合、係止孔は頭側端壁及び足側端壁のうち前記係止させたいときの上部バーと同じ高さにも設けられる。
【００１０】
係止ロッドの「繰出方向」とは上部バーの端面から係止ロッドの先端部が繰出す方向であり、係止ロッドの「退入方向」とは繰出方向とは逆方向、すなわち係止ロッドの先端部が上部バーの端面に退入しようとする方向である（必ずしも先端部が端面に完全に入り込まなくてもよい）。係止ロッドのロッド付勢部材としては、特に限定されないが、バネ（コイルバネ、板バネ等）、ゴム部材、エアシリンダ等を例示できる。
【００１１】
変換機構としては、特に限定されないが、上部バーの各端面に対し下側ほど遠ざかるように傾斜しており握りボタンとともに上下動する一対の斜状部と、一対の係止ロッドの各基端部を一対の斜状部に案内されて相対動しうるように係合させる係合部とで構成され、一対の斜状部が握りボタンとともに上動するときに係合部を介し係止ロッドの各基端部が退入方向に引かれることで方向変換を行う機構を例示できる。その他、ギアにより方向変換するもの、カムにより方向変換するものを例示できる。「斜状部」としては、斜状の長孔、溝、条等を例示できる。
【００１２】
係止機構は、横柵の係止時に、握りボタンが上動できないようにロックするロック状態と、握りボタンが上動できるようにするロック解除状態とを切り替えるロック機構を備えることが好ましい。
【００１３】
ロック機構としては、特に限定されないが、握りボタンの下部に上部バーに沿って変位可能に設けられたロック部材を例示できる。このロック部材が握りボタンよりはみ出して上部バーの下面に下から近接するロック位置に変位されたときにロック状態となり、該ロック部材が握りボタンよりはみ出さないロック解除位置に変位されたときにロック解除状態となる。さらに、ロック部材を常にはロック位置に向けて付勢するロック付勢部材を設けることが好ましい。ロック付勢部材としては、特に限定されないが、バネ（コイルバネ、板バネ等）、ゴム部材、エアシリンダ等を例示できる。さらに、ロック部材に指の側部が引掛かる引掛かり部を設けることが好ましい。
【００１４】
【発明の実施の形態】
以下、本発明を具体化した開閉可能な横柵を頭側端壁及び足側端壁に係止解除可能に係止させるための係止機構を備えたベビーベッドの実施形態について、図１〜図５を参照して説明する。このベビーベッド１は、乳児の四方を囲う直方枠状の囲い２と、囲い２の内部の高さ方向中間部に支持された床板３とから構成されている。囲い２は、乳児の頭側を囲う頭側端壁５と、乳児の足側を囲う足側端壁６と、乳児の横側を囲う一対の横柵７、８とからなる。なお、頭側端壁５と足側端壁６とは明確な区別がある訳ではなく、逆向きに使用される場合もある。
【００１５】
頭側端壁５は、左右一対の支柱１０、１０と、両端が支柱１０に取り付けられた上下一対のバー１１、１２と、両支柱１０、１０間に取り付けられたボード１３とから構成されている。足側端壁６は、左右一対の支柱１０、１０と、両端が支柱１０に取り付けられた上下一対のバー１１、１２と、両バー１１、１２間に取り付けられた複数の縦桟１４とから構成されている。頭側端壁５の支柱１０及び足側端壁６の支柱１０の向かい合う各側面には、上端付近から下端付近にかけて延びる均一幅及び均一深さの案内溝１５が設けられている。
【００１６】
一方の横柵７はその全体が、上部バー３１と、下部バー３２と、これらのバー３１、３２の間に取り付けられた複数の縦桟３３とから構成され、頭側端壁５の支柱１０及び足側端壁６の支柱１０に固定されている。他方の横柵８は床板３の高さを境に固定の下柵２１と開閉可能な上柵２０とに分けて構成されている。下柵２１は、上部バー２６と、下部バー２７と、これらのバー２６、２７の間に取り付けられた複数の縦桟２８とから構成されており、支柱１０、１０の向かい合う側面にボルトで固定されている。
【００１７】
上柵２０は、下柵２１と同様に上部バー２２と、下部バー２３と、これらのバー２２、２３間に取り付けられた複数の縦桟２４とを備えるが、さらに、下部バー２３の各端面２３ａに突設された一対のガイドピン２９と、後述するように上部バー２２の各端面２２ａから繰出した一対の係止ロッド３５の先端部３５ａとが、頭側端壁５及び足側端壁６の各案内溝１５に摺動可能に係合することにより上下動可能となっており、もって開閉可能となっている。
【００１８】
上柵２０を頭側端壁５及び足側端壁６に係止解除可能に係止させるための係止機構２５は、頭側端壁５及び足側端壁６側に設けられた係止孔１６と、上部バー２２側に設けられた一対の係止ロッド３５、ロッド付勢部材としてのコイルバネ３６、握りボタン４０及び変換機構５０とから構成されている。これら各部の詳細は次のとおりである。
【００１９】
頭側端壁５及び足側端壁６の各案内溝１５の溝底には、上柵２０を上動させて閉じたときの上部バー２６と同じ高さと、上柵２０を下動させて開いたときの上部バー２６と同じ高さと、その下動の途中における上部バー２６と同じ高さとの三位置に、該溝底よりさらに深く凹設された係止孔１６が形成されている。
【００２０】
上部バー２２の上面には、上部バー２２の長さ方向に延びる長溝３４が形成されている。この長溝３４の溝底部には、一対の係止ロッド３５がそれぞれ上部バー２２の中央部から各端面２２ａへ延びて各端面２２ａから各先端部３５ａが繰出すように配されており、上部バー２２に対し繰出方向及び退入方向に変位可能となっている。本例では、また、長溝３４の上部の複数箇所には、係止ロッド３５が長溝３４の中で上へ動くことができないように規制するための規制部材３７が嵌着されている。さらに、上部バー２２の上面には長溝３４及び規制部材３７を覆う樹脂製のカバー３８が被せられている。なお、本例においては、上部バー２２の端に最端の縦桟２４の上端部が突き当たっているが、この縦桟２４の上端部を上部バー２２の端部と考えており、従って該縦桟２４の上端部の側面を上部バー２２の端面２２ａとしている。
【００２１】
係止ロッド３５の各先端部３５ａは一般部３５ｃよりも膨径している。上部バー２２の各端部（上記の通り縦桟２４の上端部である）には係止ロッド３５の一般部３５ｃが挿通するとともに各先端部３５ａの一部が遊嵌する装着穴３９が形成され、該装着穴３９には一般部３５ｃに外挿されたコイルバネ３６が装着されている。このコイルバネ３６は、各先端部３５ａと装着穴３９の内底壁との間で圧縮された状態で装着されているため、各係止ロッド３５を常に繰出方向に付勢しており、もって各先端部３５ａを係止孔１６に係入させうる。
【００２２】
上部バー２２の中央部には、人の手の幅ほどの長さと長溝３４の幅より大きい幅とを有して上下方向に延びる案内穴３０が形成され、該案内穴３０は長溝３４の溝底を抜けて上部バー２２の下面へ開口している。この案内穴３０には略同サイズの握りボタン４０が挿入されて、左右にぶれないで上下動しうるように案内されている。握りボタン４０は、握りボタン４０の上動時にも下動時にも常に案内穴３０に入り込んでいるボタン本体４１と、少なくとも握りボタン４０の下動時に案内穴３０から抜け出て上部バー２２の下面から突出する、手掛け部を兼ねたロック部材４９を含むロック機構４５とを備える。そして、世話人が握りボタン４０を上部バー２２の中央部とともに片手で握って（後述するようにコイルバネ３６の付勢力に抗して）手掛兼ロック部材４９を引き上げることで、握りボタン４０を上動させることができ、また、世話人が握りボタン４０を握っている力を緩めると（後述するようにコイルバネ３６の付勢力によって）握りボタン４０は下動する。
【００２３】
ボタン本体４１は一対の板４２がその下部で連結されてなり、両板４２間の間隙は長溝３４と連続している。両板４２の中央部には上下方向に延びる案内長孔４３が両板４２間で平行に貫設されている。両案内長孔４３には、上部バー２２の厚さ方向に案内穴３０を貫くように差し込まれたピン４４が案内長孔４３の上下動を許容するように係入しており、この係入により（前記案内穴３０による案内と併せて）握りボタン４０は左右にぶれないで上下動しうるように案内されている。また、案内長孔４３の上下長さ、上端及び下端がそれぞれ握りボタン４０の上下動ストローク、下動限及び上動限を決めている。
【００２４】
握りボタン４０のロック機構４５は、ボタン本体４１の下に設けられた左右に延びる案内溝４６付きの案内レール４７と、案内溝４６に摺動可能に係合する爪４８を備えて案内レール４７に左右動可能に外嵌された手掛兼ロック部材４９とからなり、従って手掛兼ロック部材４９は案内レール４７に案内されて上部バー２２に沿って変位可能となっている。そして、上柵２０の係止時には握りボタン４０が下動しているが、このとき、世話人が手掛兼ロック部材４９をボタン本体４１より左側にはみ出させて上部バー２２の下面に下から近接するロック位置に変位させておくと、仮に握りボタン４０を上動させようとしても手掛兼ロック部材４９が上部バー２２の下面に当接するから、握りボタン４０が上動できないようにロックされたことになる（ロック状態）。また、世話人が手掛兼ロック部材４９を握りボタン４０よりはみ出さないロック位置に変位させると、前記ロックが解除されて握りボタン４０が上動できるようになる（ロック解除状態）。このように、手掛兼ロック部材４９の変位によってロック状態とロック解除状態とを容易に切り替えることができる。
【００２５】
変換機構５０は、握りボタン４０を握って上動させたときにその上動を方向変換して一対の係止ロッド３５を退入方向に変位させ各先端部３５ａを係止孔１６から離脱させるものであり、次のように構成されている。ボタン本体４１の両板４２の左側には、上部バー２２の左側の端面２２ａに対し下側ほど遠ざかるように（すなわち右下がりに）傾斜する斜状部としての斜状長孔５２が両板４２間で平行に貫設され、同じく両板４２の右側には、上部バー２２の右側の端面２２ａに対し下側ほど遠ざかるように（すなわち左下がりに）傾斜する斜状長孔５２が両板４２間で貫設されている。従って、この左右一対の斜状長孔５２は、前記のとおり左右にぶれることなく上下動する握りボタン４０とともに、等しく上下動するようになっている。左右の各斜状長孔５２には、両板４２の斜状長孔５２を貫くとともに、両板４２間の間隙に差し込まれた各係止ロッド３５の基端部３５ｂに設けられた係合孔５３をも貫くように差し込まれた係合ピン５４が、斜状長孔５２の上下動を許容するように係入している。この係入により、各係止ロッド３５の基端部３５ｂを斜状長孔５２に案内されて摺動可能に相対動しうるように係合している。また、この係合により、前記コイルバネ３６が係止ロッド３５を常に繰出方向に付勢する付勢力は、係止ロッド３５の基端部３５ｂが斜状長孔５２を引き下げて該斜状長孔５２の上端に位置しようとする力となり、左右動しない握りボタン４０を常に下方へ付勢している。
【００２６】
このように、変換機構５０は、斜状長孔５２と、これに係止ロッド３５の基端部３５ｂを相対動係合に係合する係合孔５３及び係合ピン５４とから構成されている。そして、前記のとおり上柵２０の係止時には握りボタン４０が下動しているが、このとき、世話人が前記ロック解除状態にある握りボタン４０を前記コイルバネ３６の付勢力に抗して上動させると、一対の斜状長孔５２が握りボタン４０とともに上動する。すると、係止ロッド３５の基端部３５ｂが係合ピン５４を介し斜状長孔５２の上端から下端に位置しようとして、一対の係止ロッド３５を等しく連動して退入方向に引くので、もって前記方向変換が行われ、各先端部３５ａが係止孔１６から同時に離脱する。また逆に、世話人が握りボタン４０を握っている力を緩めると、コイルバネ３６の付勢力によって各先端部３５ａが係止孔１６に同時に係入するとともに、前記のとおり握りボタン４０が下方へ付勢されて下動する。
【００２７】
以上のように構成されたベビーベッド１の上柵２０は、平常は、図１の左図及び図４に示すように、一対の係止ロッド３５の各先端部３５ａが最上位置の各係止孔１６に係入しており、閉じた状態で頭側端壁５及び足側端壁６に係止している。この係止時には、前記のとおり握りボタン４０は下動限に下動しており、手掛兼ロック部材４９は操作によりロック位置に変位されている。よって、世話人が係止を解除するつもりではなく上部バー２２に手を掛けたとき等に手掛兼ロック部材４９に触れたとしても、不意に係止が解除されるおそれはない。
【００２８】
また、世話人が乳児の世話をするときには、上柵２０の前に立って、図５に示すように、握りボタン４０を上部バー２２の中央部とともに片手で握って手掛兼ロック部材４９に複数本の指を掛け、まず、手掛兼ロック部材４９をロック解除位置に変位させ、続いて手掛兼ロック部材４９をコイルバネ３６の付勢力に抗して引き上げることで、握りボタン４０を上動させる。すると、前記のとおり一対の係止ロッド３５が等しく連動して退入方向に引かれ、各先端部３５ａが係止孔１６から同時に離脱するので、上柵２０は頭側端壁５及び足側端壁６への係止が解除される。従って、確実に解除でき、従来例のように半解除状態で上柵を無理に下動させることはほとんどない。また、従来例のように指でレバーを掴む操作ではなく、握りボタン４０を握る操作なので力をかけやすく、たとえ係止ロッド３５が上部バー２２内でこじれたとしても、力の弱い世話人でも操作できる。また、立ったときの視線で握りボタン４０がよく見えなかったとしても、手探りで握りボタン４０を握ることは容易であり、屈む必要はない。
【００２９】
そして、この握りボタン４０を握ったままで、図１の右図に示すように、上柵２０を下動させ、係止させたい最下位置又は途中位置で握りボタン４０を握っていた力を緩めると、コイルバネ３６の付勢力により各先端部３５ａが同時に最下位置又は途中位置の各係止孔１６に係入するので、上柵２０を開いた状態又は半開きの状態で頭側端壁５及び足側端壁６に係止させることができる。この状態で、世話人は乳児の世話をする。
【００３０】
次に、前記ロック機構４５の変更例について、図６を参照して説明する。本変更例では、手掛兼ロック部材４９の内面と案内レール４７の端面との間にロック付勢部材としてのコイルバネ５５が圧縮状態で装着されており、手掛兼ロック部材４９を常にロック位置に向けて付勢している。従って、握りボタン４０が下動したときに、手掛兼ロック部材４９がコイルバネ５５の付勢力によって自動的にロック位置へ変位しロック状態となるため、ロックし忘れることがなくなり、便利である。また、不意に手掛兼ロック部材４９に手が触れても、この付勢力があるのでロックが解除されにくい。一方、このロック状態からロック解除状態にするには、コイルバネ５５の付勢力に抗して手掛兼ロック部材４９をロック解除位置へ変位させることになるが、手掛兼ロック部材４９の例えば端に指の側部を引掛けるための突壁状の引掛かり部５６が下方へ突設されているため、手が横に滑りにくくロック解除させやすい。
【００３１】
なお、本発明は前記実施形態の構成に限定されず、例えば以下のように、発明の趣旨から逸脱しない範囲で適宜変更して具体化することもできる。
（１）横柵（上柵）がその下端を中心にして手前側に回動することで開閉するタイプのベビーベッドにおいて、前記係止機構２５を具体化すること。
（２）引掛かり部５６は、突壁状に限定されず、例えば波状、穴状等でもよい。
【００３２】
【発明の効果】
以上詳述したように、請求項１及び２の発明に係るベビーベッドによれば、横柵を頭側端壁及び足側端壁に係止させた状態からその係止を解除して開閉させる際に、世話人が立った姿勢からでもまた力の弱い者であっても、力の加えやすい容易な操作で確実に解除して無理なく開閉させることができるという優れた効果を奏する。
【００３３】
前記効果に加え、請求項３、４及び５の発明に係るベビーベッドによれば、前記係止の解除の操作を不要時にはロックできるようにして、不意に前記係止が解除されて横柵が動いてしまうおそれをなくすことができる。
【図面の簡単な説明】
【図１】本発明に係る実施形態のベビーベッドを示す斜視図である。
【図２】同ベビーベッドの部分分解斜視図である。
【図３】同ベビーベッドの係止機構の分解斜視図である。
【図４】同係止機構の断面を示し、（ａ）は同係止機構による上柵の係止時の断面図、（ｂ）は（ａ）のｂ−ｂ線断面図、（ｃ）は（ａ）でのロック機構のロック状態が解除されたときの断面図である。
【図５】同係止機構の断面を示し、（ａ）は同係止機構による上柵の係止解除時の断面図、（ｂ）は（ａ）のｂ−ｂ線断面図である。
【図６】ロック機構の変更例を示し、（ａ）はロック状態の断面図、（ｂ）はロック解除状態の断面図である。
【図７】従来のベビーベッドの横柵を示し、（ａ）は係止時の断面図、（ｂ）は係止解除時の断面図である。
【符号の説明】
１    ベビーベッド
５    頭側端壁
６    足側端壁
８    横柵
１０    支柱
１６    係止孔
２０    上柵
２２    上部バー
２２ａ  端面
２５    係止機構
３５    係止ロッド
３５ａ  先端部
３５ｂ  基端部
３６    コイルバネ
４０    ボタン
４１    ボタン本体
４５    ロック機構
４９    手掛兼ロック部材
５０    変換機構
５２    斜状長孔
５３    係合孔
５４    係合ピン
５５    コイルバネ
５６    引掛かり部
【図１】
2004313629.tif 000003
【図２】
2004313629.tif 000004
【図３】
2004313629.tif 000005
【図４】
2004313629.tif 000006
【図５】
2004313629.tif 000007
【図６】
2004313629.tif 000008
【図７】
2004313629.tif 000009
【手続補正書】
【提出日】平成15年7月14日(2003.7.14)
【手続補正１】
【補正対象書類名】明細書
【補正対象項目名】特許請求の範囲
【補正方法】変更
【補正の内容】
【特許請求の範囲】
【請求項１】
開閉可能な横柵を頭側端壁及び足側端壁に係止解除可能に係止させるための係止機構を備え、前記係止機構は、前記頭側端壁及び足側端壁にそれぞれ設けられた係止孔と、前記横柵の上部バーの中央部から各端面へ延びて各端面から先端部が繰出すように配され且つ前記上部バーに対し前記繰出方向及び退入方向に変位可能に設けられた一対の係止ロッドと、前記一対の係止ロッドを常には前記繰出方向に付勢して前記各先端部を前記係止孔に係入させるロッド付勢部材と、前記上部バーの途中にその下面から突出するとともに上下動可能に設けられた握りボタンと、前記握りボタンを握って上動させたときにその上動を方向変換して前記一対の係止ロッドを前記退入方向に変位させ前記各先端部を前記係止孔から離脱させる変換機構とから構成されたベビーベッドにおいて、
前記係止機構は、前記横柵の係止時に、前記握りボタンが上動できないようにロックするロック状態と、前記握りボタンが上動できるようにするロック解除状態とを切り替えるロック機構を備えたことを特徴とするベビーベッド。
【請求項２】
前記ロック機構は、前記握りボタンの下部に前記上部バーに沿って変位可能に設けられたロック部材であり、前記ロック部材が前記握りボタンよりはみ出して前記上部バーの下面に下から近接するロック位置に変位されたときに前記ロック状態となり、前記ロック部材が前記握りボタンよりはみ出さないロック解除位置に変位されたときに前記ロック解除状態となる請求項１記載のベビーベッド。
【請求項３】
前記ロック部材を常には前記ロック位置に向けて付勢するロック付勢部材を設けた請求項２記載のベビーベッド。
【請求項４】
前記ロック部材に該ロック部材を前記ロック解除位置へ変位させるときに指の側部が引掛かる引掛かり部を設けた請求項３記載のベビーベッド。
【手続補正２】
【補正対象書類名】明細書
【補正対象項目名】０００６
【補正方法】変更
【補正の内容】
【０００６】
本発明の目的は、上記課題を解決し、横柵を頭側端壁及び足側端壁に係止させた状態からその係止を解除して開閉させる際に、世話人が立った姿勢からでもまた力の弱い者であっても、力の加えやすい容易な操作で確実に解除して無理なく開閉させることができるベビーベッドを提供することにある。さらには、その操作を不要時にはロックできるようにして、不意に前記係止が解除されて横柵が動いてしまうおそれをなくすことにある。


【手続補正３】
【補正対象書類名】明細書
【補正対象項目名】００１３
【補正方法】変更
【補正の内容】
【００１３】
ロック機構としては、特に限定されないが、握りボタンの下部に上部バーに沿って変位可能に設けられたロック部材を例示できる。このロック部材が握りボタンよりはみ出して上部バーの下面に下から近接するロック位置に変位されたときにロック状態となり、該ロック部材が握りボタンよりはみ出さないロック解除位置に変位されたときにロック解除状態となる。さらに、ロック部材を常にはロック位置に向けて付勢するロック付勢部材を設けることが好ましい。ロック付勢部材としては、特に限定されないが、バネ（コイルバネ、板バネ等）、ゴム部材、エアシリンダ等を例示できる。さらに、ロック部材に該ロック部材を前記ロック解除位置へ変位させるときに指の側部が引掛かる引掛かり部を設けることが好ましい。


【手続補正４】
【補正対象書類名】明細書
【補正対象項目名】００３０
【補正方法】変更
【補正の内容】
【００３０】
次に、前記ロック機構４５の変更例について、図６を参照して説明する。本変更例では、手掛兼ロック部材４９の内面と案内レール４７の端面との間にロック付勢部材としてのコイルバネ５５が圧縮状態で装着されており、手掛兼ロック部材４９を常にロック位置に向けて付勢している。従って、握りボタン４０が下動したときに、手掛兼ロック部材４９がコイルバネ５５の付勢力によって自動的にロック位置へ変位しロック状態となるため、ロックし忘れることがなくなり、便利である。また、不意に手掛兼ロック部材４９に手が触れても、この付勢力があるのでロックが解除されにくい。一方、このロック状態からロック解除状態にするには、コイルバネ５５の付勢力に抗して手掛兼ロック部材４９をロック解除位置へ変位させることになるが、手掛兼ロック部材４９の例えば端に該変位時に指の側部を引掛けるための突壁状の引掛かり部５６が下方へ突設されているため、手が横に滑りにくくロック解除させやすい。


【手続補正５】
【補正対象書類名】明細書
【補正対象項目名】００３２
【補正方法】変更
【補正の内容】
【００３２】
【発明の効果】
以上詳述したように、本発明に係るベビーベッドによれば、横柵を頭側端壁及び足側端壁に係止させた状態からその係止を解除して開閉させる際に、世話人が立った姿勢からでもまた力の弱い者であっても、力の加えやすい容易な操作で確実に解除して無理なく開閉させることができるだけでなく、前記係止の解除の操作を不要時にはロックできるようにして、不意に前記係止が解除されて横柵が動いてしまうおそれをなくすことができるという優れた効果を奏する。


【手続補正６】
【補正対象書類名】明細書
【補正対象項目名】００３３
【補正方法】削除
【補正の内容】